(57)【要約】      （修正有）【課題】針金先端部分の露出を防ぎ、使用者或いはメンテナンス者が負傷する恐れを払拭し、安全に対する心配を取り払うことができる傘ろくろの保護構造を提供する。【解決手段】ろくろ１Ａ外周に環状凸台１１Ａを設置し、凸台１１Ａ外周には環状槽１２Ａ、及び環状槽１２Ａと通じる複数の縦方向収容槽１３Ａを設置し、複数の傘骨内端には可動接続孔を設置し、針金は各傘骨の可動接続孔を通過後、さらに各傘骨内端をろくろ１Ａの各収容槽１４Ａ内に設置し、針金両端を噛み合わせて一体に固定し、先端を形成し、先端部分を湾曲、屈折させた後、凸台１１Ａ外周に密着させ、ろくろ１Ａの凸台１１Ａ外周には針金先端を封鎖して覆うことができるガード片４Ａを固定する。【選択図】図２
0003157697.tif 000002
【実用新案登録請求の範囲】
【請求項１】
傘ろくろの保護構造は、ろくろ外周に、環状凸台を設置し、前記環状凸台外周には、環状槽、及び前記環状槽と通じる複数の縦方向収容槽を設置し、複数の傘骨内端には、可動接続孔を設置し、針金は、前記各傘骨の可動接続孔を通過し、さらに前記各傘骨内端を、前記ろくろの各縦方向収容槽内に設置し、続いて、前記針金両端を噛み合わせて一体に固定し、先端を形成し、前記先端部分を湾曲、屈折させた後、前記環状凸台外周に密着させ、前記環状凸台外周には、前記針金先端を封鎖して覆うことができるガード片を固定することを特徴とする、傘ろくろの保護構造。
【請求項２】
前記環状凸台外周には、前記針金先端を収容する先端収容槽を設置し、前記先端収容槽の外側には、前記ガード片を固定することを特徴とする、請求項１に記載の傘ろくろの保護構造。
【請求項３】
前記環状凸台の、前記先端収容槽位置に対応する片側端面には、係合槽を設置し、外周には、固定リングを設置し、前記ガード片は、片足が長く、片足が短いＵ字型状で、組立て時には、前記ガード片の短い方の足を、前記ろくろ係合槽内に嵌め、長い方の足を、前記固定リングに通した後、前記先端収容槽外周をガードし、前記針金先端を封鎖してしまうことを特徴とする、請求項２に記載の傘ろくろの保護構造。
【請求項４】
前記先端収容槽の片側には、固定槽を開設し、前記固定槽の片側壁には、係合槽を設置し、前記ガード片一端には、弾性フックを設置し、前記弾性フックを、前記固定槽内に挿入し、前記係合槽上に係合し、前記ガード片を固定して、前記先端収容槽の外周をガードし、前記針金先端を封鎖してしまうことを特徴とする、請求項２に記載の傘ろくろの保護構造。
【請求項５】
前記先端収容槽の片側には、固定槽を開設し、前記固定槽の片側壁には、係合槽を設置し、前記ガード片一端には、高さが前記固定槽の高さより低い弾性フックを設置し、前記弾性フック傍らには、高さが前記固定槽の高さと相同の固定ブロックを設置し、組立て時には、前記固定ブロックと前記固定槽を対応させて係合し、前記弾性フックは、前記係合槽上に係合し、前記ガード片を固定して、前記先端収容槽の外周をガードし、前記針金先端を封鎖してしまうことを特徴とする、請求項２に記載の傘ろくろの保護構造。
【考案の詳細な説明】
【技術分野】
【０００１】
本考案は傘の技術領域に係り、特に傘ろくろの保護構造に関する。
【背景技術】
【０００２】
傘のサポートフレームは、傘中棒、及び若干の親骨と受骨を備える。傘中棒の頂端には、上ろくろを固定し、傘中棒上には、下ろくろをスライド設置する。各親骨内端は、上ろくろ上に可動接続し、各受骨内端は、下ろくろ上に可動接続する。各受骨の外端は、連接部品を通して、相対する親骨中段に可動接続する。
【０００３】
親骨或いは受骨を、上ろくろ或いは下ろくろに可動接続する方式について、図１に示すように、上ろくろ及び下ろくろを「ろくろ」と総称し、親骨及び受骨は、「傘骨」と総称して説明する。ろくろ１の外周には、環状の凸台１１を設置する。凸台１１外周には、環状槽１２、及び若干の環状槽１２と通じる縦方向収容槽１３を設置する。各傘骨２内端には、可動接続孔（図示なし）を設置し、針金３を各傘骨２の可動接続孔に通す。各傘骨２内端を、ろくろ１の各収容槽１３内に設置し、続いて、針金３両端を、工具を用いて、噛み合わせて一体に固定し、先端３１を形成する。こうして、各傘骨２内端を、ろくろ１上に固定する。
【０００４】
しかし上記した従来の構造では、針金３の先端３１が露出しているため、傘の使用時或いはメンテナンス過程において、使用者或いはメンテナンス者は、針金の鋭利な先端部分により怪我をし易い。これに対して、ろくろ１外周に先端収容槽１４を開設し、針金３の先端３１を湾曲、屈折後に、その中に収容するタイプの傘もある。この種の構造では、使用者が怪我をする可能性を大きく引き下げることはできるが、針金３先端３１はやはり露出しているため、怪我をする危険性は皆無ではない。しかも、上記した構造では、針金３を傘の上ろくろと下ろくろに同時に使用しているため、傘の上、下ろくろ両方に、この安全に関わる問題があり、使用者或いはメンテナンス者が怪我をする状況が出現する恐れがある。本考案は、従来の傘の構造の上記した欠点に鑑みてなされたものである。
【考案の概要】
【考案が解決しようとする課題】
【０００５】
本考案が解決しようとする課題は、針金先端の露出を防止し、使用者或いはメンテナンス者を傷つける恐れのない傘ろくろの保護構造を提供することである。
【課題を解決するための手段】
【０００６】
上記課題を解決するため、本考案は下記の傘ろくろの保護構造を提供する。傘ろくろの保護構造は、ろくろ外周に、環状凸台を設置し、該凸台外周には、環状槽、及び該環状槽と通じる若干の縦方向収容槽を設置し、若干の傘骨内端には、可動接続孔を設置する。針金は、該各傘骨の可動接続孔を通過する。次に、該各傘骨内端を、該ろくろの各収容槽内に設置し、続いて、該針金両端を噛み合わせて一体に固定し、先端を形成し、該先端部分を湾曲、屈折させた後、該凸台外周に密着させる。該ろくろ凸台外周には、該針金先端を封鎖して覆うことができるガード片を固定し、該ろくろ凸台外周には、該針金先端を収容する先端収容槽を設置し、該先端収容槽の外側には、該ガード片を固定し、該ろくろの凸台の、該先端収容槽位置に相対する片側端面には、係合槽を設置する。外周には、固定リングを設置し、該ガード片は、片足が長く、片足が短いU字型状で、組立て時には、ガード片の短い方の足を該ろくろ係合槽内に嵌め、長い方の足を、該固定リングに通した後、該先端収容槽外周をガードし、該針金先端を封鎖する。該ろくろの先端収容槽の片側には、固定槽を開設し、該固定槽の片側壁には、係合槽を設置し、該ガード片一端には、弾性フックを設置し、該弾性フックを、該固定槽内に挿入し、該係合槽上に係合し、該ガード片を固定して、該先端収容槽の外周をガードし、該針金先端を封鎖する。該ろくろの先端収容槽の片側には、固定槽を開設し、固定槽の片側壁には、係合槽を設置し、該ガード片一端には、高さが該固定槽の高さより低い弾性フックを設置し、該弾性フック傍らには、高さが該固定槽の高さと相同の固定ブロックを設置する。組立て時には、該固定ブロックと該固定槽を対応させて係合し、該弾性フックは、該係合槽上に係合し、該ガード片を固定して、該先端収容槽の外周をガードし、該針金先端を封鎖する。傘ろくろの外周に、針金の先端を覆い封鎖するガード片を固定し、ガード片は、一定の弾性を備える金属片或いはプラスチック片（プラスチック片が最適）を採用し、こうして、針金の先端部分の露出を防止し、使用者或いはメンテナンス者が怪我をする恐れを払拭することができ、安全への心配を取り去ることができる。
【考案の効果】
【０００７】
本考案傘ろくろの保護構造は、傘ろくろの外周に、針金の先端を覆い封鎖するガード片を固定し、ガード片は、一定の弾性を備える金属片或いはプラスチック片（プラスチック片が最適）を採用し、こうして、針金の先端部分の露出を防止し、使用者或いはメンテナンス者が怪我をする恐れを払拭することができ、安全への心配を取り去ることができる。
【図面の簡単な説明】
【０００８】
【図１】従来の傘ろくろ構造の模式図である。
【図２】本考案の第一実施例傘ろくろ構造の模式図である。
【図３】本考案の第一実施例の傘ろくろと傘骨との組立て後に、ガード片を未設置の状態を示す分解模式図である。
【図４】本考案の第一実施例の傘ろくろと傘骨との組立て後に、ガード片を設置した状態を示す模式図である。
【図５】本考案の第二実施例傘ろくろ構造の模式図である。
【図６】本考案の第二実施例の傘ろくろと傘骨との組立て後に、ガード片を未設置の状態を示す分解模式図である。
【図７】本考案の第二実施例の傘ろくろと傘骨との組立て後に、ガード片を設置した状態を示す模式図である。
【図８】本考案の第二実施例の傘ろくろと傘骨との組立て後に、ガード片を設置した状態を示す断面図である。
【考案を実施するための形態】
【０００９】
以下に図面を参照しながら本考案を実施するための最良の形態について詳細に説明する。
【実施例１】
【００１０】
本考案ろくろ構造は、図２〜図４に示すように、ろくろ１Ａ（図２参照）外周に、環状の凸台１１Ａを設置する。凸台１１A外周には、環状槽１２Ａ、及び環状槽１２Ａと通じる縦方向収容槽１３Ａを設置する。凸台１１Ａ外周にはさらに、先端収容槽１４Ａを設置する。
【００１１】
先端収容槽１４Ａの外側には、ガード片４Ａを固定する。ガード片４Ａを固定するため、凸台１１Ａの先端収容槽１４Ａ位置に対応する片側端面には、係合槽１５Ａを設置し、外周には、固定リング１６Ａを設置する。ガード片４Ａは、片足が長く、片足が短いＵ字型状である。組立て時には、短い方の足４１Ａを、係合槽１５Ａに係合し、長い方の足４２Ａは、固定リング１６Ａに通した後、先端収容槽１４Ａ外周をガードする。
【００１２】
傘骨２内端には、可動接続孔（図示なし）を設置する。針金３が、各傘骨２の可動接続孔を通過後、各傘骨２内端は、ろくろ１Ａの各収容槽１３Ａ内に設置する。続いて、針金３両端を、工具を用いて、噛み合わせて一体に固定し、噛み合わせて一体に固定した先端３１部分を湾曲、屈折させた後、傘骨２の先端収容槽１４Ａ内に収容する（図３参照）。次に、ガード片４Ａの長い方の足４２Ａを、ろくろ１Ａの固定リング１６Ａに通し、短い方の足４１Ａを、ろくろ１Ａの係合槽１５Ａに係合する。こうして、ガード片４Ａの長い方の足４２Ａは、針金３の先端３１を覆って封鎖し、露出して人に怪我をさせる恐れを払拭することができる。
【００１３】
ガード片は、他の方式を採用することもでき、ボルトによりろくろ上に螺合して固定する等の方式に置換することができる。また、ガード片は、一定の弾性を備える金属片或いはプラスチック片により製造するが、プラスチックは軟らかく、人の手に優しいため、プラスチック片が最適である。
【実施例２】
【００１４】
図５〜図８に示すように、本考案第二実施例では、別種の固定ガード片の構造を提示する。ろくろ１Ｂ（図５参照）外周には、環状の凸台１１Ｂを設置する。凸台１１Ｂ外周には、環状槽１２Ｂ、環状槽１２Ｂと通じる若干の縦方向収容槽１３Ｂを設置する。凸台１１Ｂ外周にはさらに、先端収容槽１４Ｂを設置する。先端収容槽１４Ｂの片側には、固定槽１７Ｂを開設し、固定槽１７Ｂの片側壁には、係合槽１８Ｂを設置する。ガード片４Ｂ一端には、弾性フック４３Ｂを設置する。組立て時には、弾性フック４３Ｂを、固定槽１７Ｂ内に挿入し、係合槽１８Ｂ上に係合する。こうして、ガード片４Ｂを固定し、しかも、ガード片４Ｂは、先端収容槽１４Ｂ外周をガードする。
【００１５】
弾性フック４３Ｂが固定槽１７Ｂ内において、グラグラすることを防止するため、或いは弾性フック４３Ｂが、固定槽１７Ｂ内に挿入しにくいという状況を回避するため、弾性フック４３Ｂ傍らには、固定ブロック４４Ｂを設置する。固定ブロック４４Ｂの高さと固定槽１７Ｂの高さは相同で、弾性フック４３Ｂの高さは、固定槽１７Ｂの高さより低い。組立て時には、固定ブロック４４Ｂと固定槽１７Ｂを対応させ、ガード片４Ｂの揺れを防止することができる。弾性フック４３Ｂは、固定槽１７Ｂより小さいため、固定槽１７Ｂ内にスムーズに挿入することができ、弾力により、係合槽１８Ｂ上に係合され、こうしてガード片４Ｂが外れないようにし、ガード片４Ｂを固定する。傘骨２の組立て方式、及び針金３、及び針金先端３１の設置方式は、上記実施例及び従来の技術と相同であるため、これ以上の詳述は行わない。
【００１６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１７】
本考案は実用新案の要件である新規性を備え、従来の同類製品に比べ十分な進歩を有し、実用性が高く、社会のニーズに合致しており、産業上の利用価値は非常に大きい。
【符号の説明】
【００１８】
１        ろくろ
１１      凸台
１２      環状槽
１３      縦方向収容槽
１４      先端収容槽
２        傘骨
３        針金
３１      先端
１Ａ      ろくろ
１１Ａ    凸台
１２Ａ    環状槽
１３Ａ    縦方向収容槽
１４Ａ    先端収容槽
１５Ａ    係合槽
１６Ａ    固定リング
４Ａ      ガード片
４１Ａ    短い方の足
４２Ａ    長い方の足
１Ｂ      ろくろ
１１Ｂ    凸台
１２Ｂ    環状槽
１３Ｂ    縦方向収容槽
１４Ｂ    先端収容槽
１７Ｂ    固定槽
１８Ｂ    係合槽
４Ｂ      ガード片
４３Ｂ    弾性フック
４４Ｂ    固定ブロック
【図１】
0003157697.tif 000003
【図２】
0003157697.tif 000004
【図３】
0003157697.tif 000005
【図４】
0003157697.tif 000006
【図５】
0003157697.tif 000007
【図６】
0003157697.tif 000008
【図７】
0003157697.tif 000009
【図８】
0003157697.tif 000010